(57)【要約】  【課題】輸送時におけるサクランボ等の茎付果実及び茎付根部の損傷を防止する。  【解決手段】茎付果実２を収容する略半球状凹部８が縦方向に複数列並設され、且つ、半硬質樹脂から形成された方形のトレー３と、トレー３が装填される透明な箱状の包装容器４とを備え、包装容器４の容器本体５は蓋体６により開閉自在に蓋装する。蓋体６側の下面開口部１６及び容器本体５側の上面開口部１５には透明なフィルムシート7ａ，7ｂを張設する。略半球状凹部８間の開放部分には茎挿入孔９を開穿する。略半球状凹部８に茎付果実２を収容し、且つ、茎付果実２の茎１０を茎挿入孔９に挿入し、トレー３を、容器本体５のフィルムシート７ａ上に載置した後、容器本体５を蓋体６で蓋装することで、トレー３及び茎付果実２の動きが上下両側のフィルムシート7ａ，7ｂで押圧拘束され、振動等による茎付果実２の損傷が防止される。【選択図】図１
2013124132.tif 000002
【特許請求の範囲】
【請求項１】
茎付果実を収容するための略半球状凹部が縦方向に複数列並設され、且つ、半硬質樹脂から形成された方形のトレーと、該トレーが装填される透明な包装容器とを備え、該包装容器は、箱状の容器本体と該容器本体を開閉自在に蓋装する箱状の蓋体とから成り、前記蓋体側の下面開口部及び前記容器本体側の上面開口部に透明なフィルムシートが張設された茎付果実収容装置であって、
前記略半球状凹部は、縦方向における相互に隣接する部分が開放されていると共に、該開放部分に茎付果実の茎が挿入される茎挿入孔が開穿され、
前記略半球状凹部に茎付果実が収容され、且つ、該茎付果実の茎が前記茎挿入孔に挿入されたトレーを、前記容器本体のフィルムシート上に載置して、該容器本体を前記蓋体で蓋装することにより、前記トレー及び茎付果実の動きを前記フィルムシートによる上下両側からの押圧力によって制止できるように構成したことを特徴とする茎付果実収容装置。
【請求項２】
前記縦方向に複数列並設された略半球状凹部は、横方向において相互に千鳥状に設けられていることを特徴とする請求項１記載の茎付果実収容装置。
【発明の詳細な説明】
【技術分野】
【０００１】
本発明は茎付果実収容装置に関するものであり、特に、サクランボ等の茎付果実を収容して輸送するのに適した茎付果実収容装置に関するものである。
【背景技術】
【０００２】
従来、サクランボ等の茎付果実は一般に箱状の果実用容器にばら詰めして包装されていた。そのため、ばら詰め時に果実の茎同士が絡み合ったり、或いは、果実用容器を産地から市場にトラック等で輸送する際に、振動や衝撃により果実同士が接触して損傷し、果実の品質を低下させるという問題があった。
【０００３】
これを解決するために、例えば、箱状の容器に装填されるトレーに複数の凹部を成形し、該凹部の底面に孔を形成した収容装置が知られている（特許文献１，２参照）。
【先行技術文献】
【特許文献】
【０００４】
【特許文献１】特開２００８−２８５２２８号公報
【特許文献２】実開昭６３−４０３８４号公報
【発明の開示】
【発明が解決しようとする課題】
【０００５】
上記特許文献１，２記載の従来技術は、トレーに形成した各凹部に個々の果実を各別に収容できるため、果実同士の接触による損傷を防止することができる。しかし、果実の茎は、前記凹部底面に形成した孔に遊嵌して収容されているため、果実とともに動きやすい。その結果、前記容器の輸送時、該容器内のトレーが振動や衝撃を受けた際に、凹部内の果実及び茎が動いて損付きやすい。
【０００６】
これを防止するには、凹部内の果実の動きを抑制すべく、例えば、凹部底面の孔から下方に突き出る前記茎を直角又は鋭角に折曲変形させて支持固定することが考えられる。しかし、この場合は、茎自体が大きく折曲変形して、茎の付根部が傷付き易くなる。
【０００７】
以上の如く、上記従来技術では、容器の車両輸送時に、トレーの凹部に収容された果実や茎が損傷を受け易いため、果実の品質低下が早期に進行するという問題点があった。
【０００８】
そこで、輸送時における茎付果実及び茎付根部の損傷を防止して品質を向上させるために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、茎付果実を収容するための略半球状凹部が縦方向に複数列並設され、且つ、半硬質樹脂から形成された方形のトレーと、該トレーが装填される透明な包装容器とを備え、該包装容器は、箱状の容器本体と該容器本体を開閉自在に蓋装する箱状の蓋体とから成り、前記蓋体側の下面開口部及び前記容器本体側の上面開口部に透明なフィルムシートが張設された茎付果実収容装置であって、前記略半球状凹部は、縦方向における相互に隣接する部分が開放されていると共に、該開放部分に茎付果実の茎が挿入される茎挿入孔が開穿され、前記略半球状凹部に茎付果実が収容され、且つ、該茎付果実の茎が前記茎挿入孔に挿入されたトレーを、前記容器本体のフィルムシート上に載置して、該容器本体を前記蓋体で蓋装することにより、前記トレー及び茎付果実の動きを前記フィルムシートによる上下両側からの押圧力により制止できるように構成したことを特徴とする茎付果実収容装置を提供する。
【００１０】
この構成によれば、サクランボ等の茎付果実を茎付果実収容装置に収容する際は、先ず、茎付果実をトレーの略半球状凹部に収容すると共に、該茎付果実の茎を茎挿入孔に挿入する。次に、トレーを容器本体のフィルムシート上に載置した後、該容器本体を蓋体で蓋装する。これにより、トレー及び茎付果実は、フィルムシートによる上下両側からの弾性的押圧力で保持される。そのため、容器輸送時に、振動や衝撃によるトレー及び茎付果実の動きが制止される。
【００１１】
請求項２記載の発明は、前記縦方向に複数列並設された略半球状凹部は、横方向において相互に千鳥状に設けられていることを特徴とする請求項１記載の茎付果実収容装置を提供する。
【００１２】
この構成によれば、茎付果実を収容するための略半球状凹部は、横方向において相互に千鳥状を呈するように配設されているので、トレーの単位面積当たりに形成可能な略半球状凹部の個数が増加する。
【発明の効果】
【００１３】
請求項１記載の発明は、茎付果実収容装置に収納されたトレー及び茎付果実は、フィルムシートによる上下両側からの押圧力により挟持拘束されることにより、トレー及び茎付果実の動きが制止される。そのため、茎付果実用容器の輸送時、トレーに振動や衝撃が作用しても、茎付果実同士の接触による擦り傷、並びに茎の付根部の損傷を防止することができる。従って、茎付果実の新鮮な商品品質を長期間に亘り確保することができる。
【００１４】
請求項２記載の発明は、トレーの単位面積当たりに形成可能な略半球状凹部の個数が増加するので、請求項１記載の発明の効果に加えて、凹部への果実の収容作業性が良いうえに、トレーの単位面積当たりの茎付果実の収容効率を高めることができる。
【図面の簡単な説明】
【００１５】
【図１】本発明の一実施例に係る茎付果実収容装置の使用状態を示す要部断面図。
【図２】同上茎付果実収容装置におけるトレーの平面図。
【図３】図２のＡ−Ａ線断面図。
【図４】図２のＢ−Ｂ線断面図。
【図５】同上茎付果実収容装置における包装容器の平面図。
【図６】同上茎付果実収容装置における包装容器の開閉動作を説明する側面図。
【発明を実施するための最良の形態】
【００１６】
本発明は、輸送時におけるサクランボ等の茎付果実及び茎付根部の損傷を防止するという目的を達成するために、茎付果実を収容するための略半球状凹部が縦方向に複数列並設され、且つ、半硬質樹脂から形成された方形のトレーと、該トレーが装填される透明な包装容器とを備え、該包装容器は、箱状の容器本体と該容器本体を開閉自在に蓋装する箱状の蓋体とから成り、前記蓋体側の下面開口部及び前記容器本体側の上面開口部に透明なフィルムシートが張設された茎付果実収容装置であって、前記略半球状凹部は、縦方向における相互に隣接する部分が開放されていると共に、該開放部分に茎付果実の茎が挿入される茎挿入孔が開穿され、前記略半球状凹部に茎付果実が収容され、且つ、該茎付果実の茎が前記茎挿入孔に挿入されたトレーを、前記容器本体のフィルムシート上に載置して、該容器本体を前記蓋体で蓋装することにより、前記トレー及び茎付果実の動きを前記フィルムシートによる上下両側からの押圧力により制止できるように構成したことにより実現した。
【実施例】
【００１７】
以下、本発明の好適な一実施例について説明する。本実施例は、茎付果実としてサクランボを一例に挙げて説明する。
【００１８】
図１は、茎付果実収容装置のトレーにサクランボを載置収容した使用状態を示す断面図である。同図において、１は茎付果実収容装置であって、該茎付果実収容装置１は、多数個のサクランボ２，２・・２が載置収容される方形のトレー３と、該トレー３が装填される包装容器４（以下、「透明パック４」という。）とを備える。
【００１９】
前記透明パック４は箱状の容器本体５及び蓋体６から成り、之等の開口部に張設した伸縮性のフィルムシート７ａ，7ｂの間にトレー３を装填できるように構成されている。これにより、輸送時、透明パック４が振動や衝撃を受けた場合でも、該振動等をフィルムシート７ａ，７ｂで吸収除去して、透明パック４内のトレー３に振動等が伝搬しないようになっている。又、トレー３は、フィルムシート７ａ，７ｂにより上下両側から弾性的に押圧挟持されることで、トレー３の動きを規制できるように構成されている。以下、茎付果実収容装置１の具体的な構成について更に詳しく説明する。
【００２０】
前記トレー３は、発泡スチロール等の半硬質合成樹脂により成形され、透明パック４内に収容可能なサイズを有している。また、トレー３の表面には、図２に示すように、複数の略半球状凹部８，８・・８がトレー３の縦方向（長手方向）に複数列され、略半球状凹部８，８・・８内にサクランボ２，２・・２を載置収容できるようになっている。
【００２１】
略半球状凹部８，８・・８は、図３及び図４に示すように、その内面形状が略半球面状（椀状又は半楕円体状を含む）を有するように形成されている。また、略半球状凹部８，８・・８は、トレー３の縦方向における相互に隣接する境界部分が開放するように形成されている。そして、該開放部分には茎挿入孔９，９・・９が開穿され、各茎挿入孔９，９・・９にサクランボ２，２・・２の茎１０，１０・・１０が挿入されるようになっている。また、茎挿入孔９が該開放部分にあることで、挿入した茎１０がトレ―３の裏面の略半球状凹部８，８・・８の間にある隙間に入り込むことができる。このためトレ―３をフィルムシート７ａ，７ｂの間に装填した際に、茎１０がフィルムシート７ｂによって弾かれることがない。
【００２２】
略半球状凹部８，８・・８は、トレー３の横方向においては、相互に千鳥状を呈するように配置されている。即ち、偶数列の略半球状凹部８，８・・８は、奇数列の略半球状凹部８，８・・８に対して半ピッチだけ位置をずらして配設されている。このため、偶数列の各略半球状凹部８，８・・８又は茎挿入孔９，９・・９は、奇数列の茎挿入孔９，９・・９又は略半球状凹部８，８・・８に対応する箇所に配設されている。
【００２３】
尚、図示の実施例では、略半球状凹部８，８・・８は８個を縦１列として、之をトレー３に５列配設しているが、略半球状凹部８，８・・８の個数又は列数は、使用条件などに応じて適宜決定される。又、トレー３は、サクランボ２，２・・２の大きさ等に適合した種類のものに適宜取り替えて透明パック４に装填される。
【００２４】
前記透明パック４は、透明な半硬質の合成樹脂から作製されている。図５及び図６に示すように、透明パック４は、前記トレー３が装填収容される箱状の容器本体５と、該容器本体５上面を蓋装する箱状の蓋体６とから成る。この蓋体６は、容器本体５の一側辺部にヒンジ部１２を介して開閉可能に連結され、容器本体５と蓋体６の周縁部には、フランジ部１３、１４が水平に突設されている。
【００２５】
更に、透明パック４の開放側全面には、１枚の透明なフィルムシート７ａ，７ｂが張設されている。即ち、容器本体５側の上面開口部１５、蓋体６側の下面開口部１６及びフランジ部１３，１４の表面には、これら全領域を覆うようにフィルムシート７ａ，７ｂが張着されている。フィルムシート７ａ，７ｂとしては、所要の弾性力（引っ張り強度）を有する薄膜フィルムシート材料、例えばポリ塩化ビニル、ポリエチレン等を採択しうる。
【００２６】
前記フィルムシート７ａ，７ｂは、箱状の容器本体５及び蓋体６との間に密閉空間Ｓ１，Ｓ２を夫々有している。密閉空間Ｓ１、Ｓ２は、フィルムシート７ａ，７ｂ表面にクッション効果を発揮させると共に、透明パック４内に装填されたトレー３及びサクランボ２，２・・２に対して適度な弾接力を付与する。
【００２７】
本実施例では、容器本体５の上面開口部１５と蓋体６の下面開口部１６に1枚のフィルムシート７ａ，７ｂを共通に張設しているが、各開口部１５、１６にはそれぞれ使用条件に応じて、厚さや材質の異なるフィルムシートを張設することができる。
【００２８】
なお、容器本体５の底面中央部には、適宜形状の浅い凹陥部を形成することができる。又、容器本体５側面の適所には、密閉空間Ｓ１内の空気を流通させるための通気孔が穿孔される。さらに、蓋体６の平面形状は、容器本体５の平面形状と略同一に設定されていると共に、蓋体６の深さは、容器本体５よりも若干浅く設定されている。
【００２９】
次に、茎付果実収容装置１を使用してサクランボ２，２・・２を収容する手順について説明する。先ず、トレー３の略半球状凹部８，８・・８にサクランボ２，２・・２を載置収容する。その際、サクランボ２，２・・２の茎１０，１０・・１０は、略半球状凹部８，８・・８の境界部分に開穿した茎挿入孔９，９・・９に挿入して収容する。
【００３０】
この後、サクランボ２，２・・２が載置収容されたトレー３は、これを容器本体５の上面開口部１５側のフィルムシート７ａ上に載置し、そして、トレー３上面全体を覆うように蓋体６側のフィルムシート７ｂを被せ、この状態で蓋体６によって容器本体５の上面側を蓋装する。そのため、フィルムシート７ａ上に支持されたトレー３は、その重みにより容器本体５の底面側にやや沈下して保持されるため、前記フィルムシート７ａには前記沈下量に応じた張力が発生する。
【００３１】
また、トレー３はその上面側、即ち、蓋体６側のフィルムシート７ｂにより適度な押圧力が付与される。従って、トレー３は、容器本体５と蓋体６との間において、上下両側のフィルムシート７ｂ，7ａを介して、弾性的に支持された状態で拘束される。
【００３２】
而して、トレー３上に載置収容されたサクランボ２，２・・２は、トレー３と共に上下両側から、フィルムシート７ｂ，7ａにて必要最小限の弾性力で拘束されるため、透明パック４内のトレー３は、振動や衝撃を受けても動く虞がない。
【００３３】
叙上の如く本発明によると、サクランボ２，２・・２をトレー３の略半球状凹部８，８・・８に収容すると共に、該サクランボ２，２・・２の茎１０，１０・・１０を茎挿入孔９，９・・９に挿入した後、該トレー３を容器本体５上に載置して該容器本体５を蓋体６で蓋装する。これにより、フィルムシート７ａ，７ｂによってトレー３にクッション効果が生じ、同時に、フィルムシート７ａ，７ｂにより上下両側から弾性的に押圧挟持される。
【００３４】
従って、サクランボ２，２・・２を収容した茎付果実収容装置１をトラック等で輸送するときに、透明パック４に振動や揺動が加わった場合でも、振動や揺動はフィルムシート７ａ，７ｂによるクッション効果により緩和されると共に、サクランボ２，２・・２とトレー３の動きが制止される。
【００３５】
斯くして、サクランボ２，２・・２同士の接触による擦り傷が防止され、サクランボ２，２・・２の商品品質が長時間に亘り保持される。又、サクランボ２，２・・２の茎１０，１０・・１０は、茎挿入孔９，９・・９に挿入されて略直線状態で保持される。依って、茎１０，１０・・１０は折曲変形することなく安定して保持されるため、従来技術のように茎１０，１０・・１０の付根部が傷付く虞もなく、サクランボ２，２・・２の商品価値が一層向上する。
【００３６】
又、サクランボ２，２・・２を収容するための略半球状凹部８，８・・８は、トレー３の横方向において相互に千鳥状に配置されているので、トレー３の単位面積当たりに収容できる略半球状凹部８，８・・８の個数が増加する。それゆえ、サクランボ２，２・・２の収容作業性を確保しつつ、トレー３におけるサクランボ２，２・・２の収容効率が向上させることができる。
【００３７】
上記実施例では、包装容器は容器本体と蓋体とを一体に連結して形成したが、容器本体と蓋体は互いに分離して別体に形成することもある。
【００３８】
本発明は、本発明の精神を逸脱しない限り種々の改変を為すことができ、そして、本発明が該改変されたものに及ぶことは当然である。
【産業上の利用可能性】
【００３９】
本発明は、トレーの略半球状凹部に収容できる茎付果実物であれば、国内産及び外国産を問わず、サクランボ以外に茎付イチゴ等の茎付果実を収容する装置にも適用することができる。
【符号の説明】
【００４０】
１  茎付果実収容装置１
２  サクランボ（茎付果実）
３  トレー
４  透明パック（包装容器）
５  容器本体
６  蓋体
７ａ，７ｂ  フィルムシート
８  略半球状凹部
９  茎挿入孔
１０  茎
１２  ヒンジ部
１３，１４  フランジ部
１５  上面開口部
１６  下面開口部
Ｓ１,Ｓ２  密閉空間
【図１】
2013124132.tif 000003
【図２】
2013124132.tif 000004
【図３】
2013124132.tif 000005
【図４】
2013124132.tif 000006
【図５】
2013124132.tif 000007
【図６】
2013124132.tif 000008